(57)【要約】【課題】電子機器の消費電力を抑えつつ、すばやく且つ確実に電子機器の電源をＯＮすることができるリモコンシステムを提供する。【解決手段】ＴＶ受像機と、当該ＴＶ受像機を遠隔制御するためのリモコン装置４と、を有するリモコンシステムにおいて、リモコン装置４は、リモコン信号送信制御プログラム４５３ｂ１を実行したＣＰＵ４５１とリモコン信号送信部４２とによって、電源キー４１ａが操作された際であって、記憶部４４に電源ＯＦＦ情報が記憶されている場合に、サブクロック周波数に対応した周波数で、ＴＶ受像機の電源をＯＮにするためのリモコン信号を送信するとともに、電源キー４１ａが操作された際であって、記憶部４４に電源ＯＦＦ情報が記憶されていない場合に、メインクロック周波数に対応した周波数で、ＴＶ受像機の電源をＯＦＦにするためのリモコン信号を送信するよう構成した。【選択図】図３
2008054213.tif 000002
【特許請求の範囲】
【請求項１】
所定の被制御機器と、複数のキーからなるキー操作部と前記所定の被制御機器を遠隔制御するためのリモコン信号を送信するリモコン信号送信手段とを備えるリモコン装置と、を有するリモコンシステムにおいて、
前記所定の被制御機器は、
電源ＯＦＦ時には、第１クロック周波数で稼動する低消費電力モードになり、電源ＯＮ時には、前記第１クロック周波数よりも高い第２クロック周波数で稼動する通常モードになるように構成され、
前記電源ＯＦＦへの切換時に、電源ＯＦＦ情報を、前記リモコン装置に送信する電源情報送信手段を備え、
前記リモコン装置は、
前記電源情報送信手段により送信された電源ＯＦＦ情報を受信する電源情報受信手段と、
前記電源情報受信手段により受信された電源ＯＦＦ情報を記憶する記憶手段と、
前記リモコン信号送信手段により前記所定の被制御機器の電源をＯＮにするためのリモコン信号が送信された場合に、前記記憶手段に記憶された電源ＯＦＦ情報を消去する消去手段と、を備え、
前記キー操作部は、電源キーを含み、
前記リモコン信号送信手段は、前記電源キーが操作された際であって、前記記憶手段に電源ＯＦＦ情報が記憶されている場合に、前記第１クロック周波数に対応した周波数で、前記所定の被制御機器の電源をＯＮにするためのリモコン信号を送信するとともに、前記電源キーが操作された際であって、前記記憶手段に電源ＯＦＦ情報が記憶されていない場合に、前記第２クロック周波数に対応した周波数で、前記所定の被制御機器の電源をＯＦＦにするためのリモコン信号を送信することを特徴とするリモコンシステム。
【請求項２】
所定の被制御機器と、複数のキーからなるキー操作部と前記所定の被制御機器を遠隔制御するためのリモコン信号を送信するリモコン信号送信手段とを備えるリモコン装置と、を有するリモコンシステムにおいて、
前記所定の被制御機器は、
電源ＯＦＦ時には、第１クロック周波数で稼動する低消費電力モードになり、電源ＯＮ時には、前記第１クロック周波数よりも高い第２クロック周波数で稼動する通常モードになるように構成され、
前記電源ＯＦＦへの切換時に、電源ＯＦＦ情報を、前記リモコン装置に送信する電源情報送信手段を備え、
前記リモコン装置は、
前記電源情報送信手段により送信された電源ＯＦＦ情報を受信する電源情報受信手段と、
前記電源情報受信手段により受信された電源ＯＦＦ情報を記憶する記憶手段と、を備え、
前記キー操作部は、電源キーを含み、
前記リモコン信号送信手段は、前記電源キーが操作された際であって、前記記憶手段に電源ＯＦＦ情報が記憶されている場合に、前記第１クロック周波数に対応した周波数で、前記所定の被制御機器の電源をＯＮにするためのリモコン信号を送信するとともに、前記電源キーが操作された際であって、前記記憶手段に電源ＯＦＦ情報が記憶されていない場合に、前記第２クロック周波数に対応した周波数で、前記所定の被制御機器の電源をＯＦＦにするためのリモコン信号を送信することを特徴とするリモコンシステム。
【請求項３】
所定の被制御機器と、複数のキーからなるキー操作部と前記所定の被制御機器を遠隔制御するためのリモコン信号を送信するリモコン信号送信手段とを備えるリモコン装置と、を有するリモコンシステムにおいて、
前記所定の被制御機器は、
電源ＯＦＦ時には、第１クロック周波数で稼動する低消費電力モードになり、電源ＯＮ時には、前記第１クロック周波数よりも高い第２クロック周波数で稼動する通常モードになるように構成され、
前記電源ＯＮ及び前記電源ＯＦＦへの切換時に、切換後の電源情報を、前記リモコン装置に送信する電源情報送信手段を備え、
前記リモコン装置は、
前記電源情報送信手段により送信された電源情報を受信する電源情報受信手段と、
前記電源情報受信手段により受信された電源情報を記憶する記憶手段と、を備え、
前記キー操作部は、電源キーを含み、
前記リモコン信号送信手段は、前記電源キーが操作された際であって、前記記憶手段に記憶された電源情報が電源ＯＦＦ情報である場合に、前記第１クロック周波数に対応した周波数で、前記所定の被制御機器の電源をＯＮにするためのリモコン信号を送信するとともに、前記電源キーが操作された際であって、前記記憶手段に記憶された電源情報が電源ＯＮ情報である場合に、前記第２クロック周波数に対応した周波数で、前記所定の被制御機器の電源をＯＦＦにするためのリモコン信号を送信することを特徴とするリモコンシステム。
【発明の詳細な説明】
【技術分野】
【０００１】
本発明は、リモコンシステムに関する。
【背景技術】
【０００２】
従来、電子機器用のリモコン装置により電子機器の電源をＯＮ／ＯＦＦできるようにするとともに、電子機器の消費電力を低減させるために、電子機器の電源がＯＦＦの時には、電子機器が備えるＣＰＵを、当該電子機器が通常モードである場合のクロック周波数よりも低いクロック周波数で稼動させておくモード（例えば、低消費電力モード）が知られている。
具体的には、電子機器を電源ＯＮするために電子機器用のリモコン装置に備えられた電源キーが操作されると、電子機器は、低消費電力モードから通常モードに切り換わり、その後、電源ＯＮになる。
【０００３】
ところで、リモコン装置により送信されるリモコン信号の周波数は、通常モードでのクロック周波数に対応しているが、低消費電力モードでのクロック周波数には対応していない。そのため、電子機器は、電源ＯＦＦ時（低消費電力モード時）に、リモコン信号を受信すると、まず、低消費電力モードから通常モードに切り換わり、次いで、通常モードでのクロック周波数でリモコン信号を解析する。そして、当該解析の結果、リモコン信号が電源ＯＮにするためのリモコン信号である場合に、電源ＯＮになる（例えば、特許文献１参照）。
すなわち、電子機器は、リモコン信号が電源ＯＮにするためのリモコン信号であるか否かに関わらず、リモコン信号を解析するために、リモコン信号を受信すると、低消費電力モードから通常モードに切り換わるようになっている。
【０００４】
しかしながら、リモコン信号を受信する度に低消費電力モードから通常モードに切り換わっていると、電力を無駄に消費してしまうという問題がある。
【０００５】
そこで、例えば、電子機器を所定の信号を受信した場合にのみ低消費電力モードから通常モードに切り換わるよう構成しておき、そして、電源キーが操作された場合にのみ、最初に当該所定の信号を送信し、次いで電源ＯＮにするためのリモコン信号を送信するリモコン装置が提案された（例えば、特許文献２参照）。
また、例えば、受信したリモコン信号と、予め設定された電源ＯＮにするためのリモコン信号と、を比較し、当該比較の結果、受信したリモコン信号が、予め設定された電源ＯＮにするためのリモコン信号と一致した場合のみ、低消費電力モードから通常モードに切り換わる電子機器が提案された（例えば、特許文献３参照）。
【特許文献１】特開２０００−２１７１７３号公報
【特許文献２】特開平１１−２８５０８６号公報
【特許文献３】特開２００１−１１７８８５公報
【発明の開示】
【発明が解決しようとする課題】
【０００６】
しかしながら、特許文献２の構成では、電子機器は、低消費電力モードから通常モードに切り換わった後、通常モードのクロック周波数でリモコン信号を解析して、電源ＯＮになるため、すばやく電源ＯＮにならないという問題がある。
また、例えば、特許文献３の構成では、電子機器に、比較用のリモコン信号を設定しておかなければならず、さらに、リモコン信号の比較のための機構を備えなければならないため、電子機器の構成が複雑になるという問題がある。
【０００７】
本発明の課題は、電子機器の消費電力を抑えつつ、すばやく且つ確実に電子機器の電源をＯＮすることができるリモコンシステムを提供することにある。
【課題を解決するための手段】
【０００８】
上記課題を解決するために、請求項１に記載の発明は、
所定の被制御機器と、複数のキーからなるキー操作部と前記所定の被制御機器を遠隔制御するためのリモコン信号を送信するリモコン信号送信手段とを備えるリモコン装置と、を有するリモコンシステムにおいて、
前記所定の被制御機器は、
電源ＯＦＦ時には、第１クロック周波数で稼動する低消費電力モードになり、電源ＯＮ時には、前記第１クロック周波数よりも高い第２クロック周波数で稼動する通常モードになるように構成され、
前記電源ＯＦＦへの切換時に、電源ＯＦＦ情報を、前記リモコン装置に送信する電源情報送信手段を備え、
前記リモコン装置は、
前記電源情報送信手段により送信された電源ＯＦＦ情報を受信する電源情報受信手段と、
前記電源情報受信手段により受信された電源ＯＦＦ情報を記憶する記憶手段と、
前記リモコン信号送信手段により前記所定の被制御機器の電源をＯＮにするためのリモコン信号が送信された場合に、前記記憶手段に記憶された電源ＯＦＦ情報を消去する消去手段と、を備え、
前記キー操作部は、電源キーを含み、
前記リモコン信号送信手段は、前記電源キーが操作された際であって、前記記憶手段に電源ＯＦＦ情報が記憶されている場合に、前記第１クロック周波数に対応した周波数で、前記所定の被制御機器の電源をＯＮにするためのリモコン信号を送信するとともに、前記電源キーが操作された際であって、前記記憶手段に電源ＯＦＦ情報が記憶されていない場合に、前記第２クロック周波数に対応した周波数で、前記所定の被制御機器の電源をＯＦＦにするためのリモコン信号を送信することを特徴とする。
【０００９】
請求項２に記載の発明は、
所定の被制御機器と、複数のキーからなるキー操作部と前記所定の被制御機器を遠隔制御するためのリモコン信号を送信するリモコン信号送信手段とを備えるリモコン装置と、を有するリモコンシステムにおいて、
前記所定の被制御機器は、
電源ＯＦＦ時には、第１クロック周波数で稼動する低消費電力モードになり、電源ＯＮ時には、前記第１クロック周波数よりも高い第２クロック周波数で稼動する通常モードになるように構成され、
前記電源ＯＦＦへの切換時に、電源ＯＦＦ情報を、前記リモコン装置に送信する電源情報送信手段を備え、
前記リモコン装置は、
前記電源情報送信手段により送信された電源ＯＦＦ情報を受信する電源情報受信手段と、
前記電源情報受信手段により受信された電源ＯＦＦ情報を記憶する記憶手段と、を備え、
前記キー操作部は、電源キーを含み、
前記リモコン信号送信手段は、前記電源キーが操作された際であって、前記記憶手段に電源ＯＦＦ情報が記憶されている場合に、前記第１クロック周波数に対応した周波数で、前記所定の被制御機器の電源をＯＮにするためのリモコン信号を送信するとともに、前記電源キーが操作された際であって、前記記憶手段に電源ＯＦＦ情報が記憶されていない場合に、前記第２クロック周波数に対応した周波数で、前記所定の被制御機器の電源をＯＦＦにするためのリモコン信号を送信することを特徴とする。
【００１０】
請求項３に記載の発明は、
所定の被制御機器と、複数のキーからなるキー操作部と前記所定の被制御機器を遠隔制御するためのリモコン信号を送信するリモコン信号送信手段とを備えるリモコン装置と、を有するリモコンシステムにおいて、
前記所定の被制御機器は、
電源ＯＦＦ時には、第１クロック周波数で稼動する低消費電力モードになり、電源ＯＮ時には、前記第１クロック周波数よりも高い第２クロック周波数で稼動する通常モードになるように構成され、
前記電源ＯＮ及び前記電源ＯＦＦへの切換時に、切換後の電源情報を、前記リモコン装置に送信する電源情報送信手段を備え、
前記リモコン装置は、
前記電源情報送信手段により送信された電源情報を受信する電源情報受信手段と、
前記電源情報受信手段により受信された電源情報を記憶する記憶手段と、を備え、
前記キー操作部は、電源キーを含み、
前記リモコン信号送信手段は、前記電源キーが操作された際であって、前記記憶手段に記憶された電源情報が電源ＯＦＦ情報である場合に、前記第１クロック周波数に対応した周波数で、前記所定の被制御機器の電源をＯＮにするためのリモコン信号を送信するとともに、前記電源キーが操作された際であって、前記記憶手段に記憶された電源情報が電源ＯＮ情報である場合に、前記第２クロック周波数に対応した周波数で、前記所定の被制御機器の電源をＯＦＦにするためのリモコン信号を送信することを特徴とする。
【発明の効果】
【００１１】
請求項１に記載の発明によれば、リモコン信号送信手段によって、電源キーが操作された際であって、記憶手段に電源ＯＦＦ情報が記憶されている場合に、低消費電力モードでのクロック周波数である第１クロック周波数に対応した周波数で、所定の被制御機器の電源をＯＮにするためのリモコン信号を送信するとともに、電源キーが操作された際であって、記憶手段に電源ＯＦＦ情報が記憶されていない場合に、通常モードでのクロック周波数である第２クロック周波数に対応した周波数で、所定の被制御機器の電源をＯＦＦにするためのリモコン信号を送信することができる。
すなわち、所定の被制御機器は、低消費電力モードから通常モードに切り換わらなくても、低消費電力モードのままで、電源をＯＮにするためのリモコン信号を解析することができる。
したがって、所定の被制御機器を、リモコン信号の受信の度に低消費電力モードから通常モードに切り換わるよう構成する必要はなく、さらに、リモコン信号の解析のために低消費電力モードから通常モードに切り換える時間も必要ないため、電子機器（所定の被制御機器）の消費電力を抑えつつ、すばやく且つ確実に電子機器の電源をＯＮすることができる。
【００１２】
また、消去手段によって、リモコン信号送信手段により所定の被制御機器の電源をＯＮにするためのリモコン信号が送信された場合に、記憶手段に記憶された電源ＯＦＦ情報を消去することができるため、電源キーが操作された際に送信すべきリモコン信号が、所定の被制御機器の電源をＯＮにするためのリモコン信号なのか、或いは所定の被制御機器の電源をＯＦＦにするためのリモコン信号なのかを、確実に判別することができる。
【００１３】
請求項２に記載の発明によれば、リモコン信号送信手段によって、電源キーが操作された際であって、記憶手段に電源ＯＦＦ情報が記憶されている場合に、低消費電力モードでのクロック周波数である第１クロック周波数に対応した周波数で、所定の被制御機器の電源をＯＮにするためのリモコン信号を送信するとともに、電源キーが操作された際であって、記憶手段に電源ＯＦＦ情報が記憶されていない場合に、通常モードでのクロック周波数である第２クロック周波数に対応した周波数で、所定の被制御機器の電源をＯＦＦにするためのリモコン信号を送信することができる。
すなわち、所定の被制御機器は、低消費電力モードから通常モードに切り換わらなくても、低消費電力モードのままで、電源をＯＮにするためのリモコン信号を解析することができる。
したがって、所定の被制御機器を、リモコン信号の受信の度に低消費電力モードから通常モードに切り換わるよう構成する必要はなく、さらに、リモコン信号の解析のために低消費電力モードから通常モードに切り換える時間も必要ないため、電子機器（所定の被制御機器）の消費電力を抑えつつ、すばやく且つ確実に電子機器の電源をＯＮすることができる。
【００１４】
請求項３に記載の発明によれば、リモコン信号送信手段によって、電源キーが操作された際であって、記憶手段に記憶された電源情報が電源ＯＦＦ情報である場合に、第１クロック周波数に対応した周波数で、所定の被制御機器の電源をＯＮにするためのリモコン信号を送信するとともに、電源キーが操作された際であって、記憶手段に記憶された電源情報が電源ＯＮ情報である場合に、第２クロック周波数に対応した周波数で、所定の被制御機器の電源をＯＦＦにするためのリモコン信号を送信することができる。
すなわち、所定の被制御機器は、低消費電力モードから通常モードに切り換わらなくても、低消費電力モードのままで、電源をＯＮにするためのリモコン信号を解析することができる。
したがって、所定の被制御機器を、リモコン信号の受信の度に低消費電力モードから通常モードに切り換わるよう構成する必要はなく、さらに、リモコン信号の解析のために低消費電力モードから通常モードに切り換える時間も必要ないため、電子機器（所定の被制御機器）の消費電力を抑えつつ、すばやく且つ確実に電子機器の電源をＯＮすることができる。
【００１５】
また、記憶手段に、切換後の電源情報が記憶されるため、電源キーが操作された際に送信すべきリモコン信号が、所定の被制御機器の電源をＯＮにするためのリモコン信号なのか、或いは、所定の被制御機器の電源をＯＦＦにするためのリモコン信号なのかを、確実に判別することができる。
【発明を実施するための最良の形態】
【００１６】
以下、図を参照して本発明に係るリモコンシステムの最良の形態を詳細に説明する。なお、発明の範囲は、図示例に限定されない。
本実施の形態では、所定の被制御機器として、テレビジョン受像機（以下、「ＴＶ受像機」という）を例示して説明することとする。
【００１７】
[第１の実施の形態]
まず、第１の実施の形態におけるリモコンシステム１について説明する。
【００１８】
＜リモコンシステムの構成＞
まず、リモコンシステム１の構成について、図１〜図３を参照して説明する。
リモコンシステム１は、例えば、図１に示すように、ＴＶ受像機２と、ＴＶ受像機２を遠隔制御するためのリモコン装置４と、を有して構成される。
【００１９】
（ＴＶ受像機（所定の被制御機器）の構成）
ＴＶ受像機２は、例えば、図１及び図２に示すように、アンテナ２１ａを有するチューナ２１と、復調器２２と、デコーダ２３と、リモコン信号受信部２６と、電源情報送信部２７と、クロック信号供給部２８と、制御部２９と、等を備えて構成される。各部は、バス２０によって接続されている。
さらに、ＴＶ受像機２は、例えば、デコーダ２３と接続する音声出力部２４や映像表示部２５などを備えている。
【００２０】
ここで、ＴＶ受像機２の動作モードは、ＴＶ受像機２の電源ＯＦＦ時と電源ＯＮ時とで異なる。
具体的には、ＴＶ受像機２は、例えば、電源ＯＦＦ時には、ＴＶ受像機２のＣＰＵ２９１（後述）を第１クロック周波数としてのサブクロック周波数で稼動させる低消費電力モードになり、電源ＯＮ時には、ＴＶ受像機２のＣＰＵ２９１をサブクロック周波数よりも高い第２クロック周波数としてのメインクロック周波数で稼動させる通常モードになる。すなわち、ＴＶ受像機２のＣＰＵ２９１は、例えば、ＴＶ受像機２が電源ＯＦＦ時には、サブクロック周波数を有するタイミング信号に応じて稼動し、例えば、ＴＶ受像機２が電源ＯＮ時には、メインクロック周波数を有するタイミング信号に応じて稼動する。
ここで、サブクロック周波数は、例えば、数〜数十ｋＨｚの周波数であり、メインクロック周波数は、例えば、数〜数十ＭＨｚの周波数である。
【００２１】
なお、ＴＶ受像機２は、例えば、電源ＯＦＦ時（低消費電力モード時）においては、リモコン装置４により送信されてリモコン信号受信部２６により受信されたリモコン信号が解析できた場合にのみ、動作モードを低消費電力モードから通常モードに切り換える。
【００２２】
チューナ２１は、例えば、テレビジョン放送信号（以下、「ＴＶ放送信号」という）を受信する。
具体的には、チューナ２１は、制御部２９から入力される制御信号に従って、例えば、アンテナ２１ａにより受信されたＴＶ放送信号（例えば、デジタル方式のＴＶ放送信号）の中から、ユーザ所望の放送番組のチャンネルに対応する周波数帯域に存在するＴＶ放送信号を受信する。そして、例えば、当該ＴＶ放送信号を変調して、中間周波信号を復調器２２に出力する。
【００２３】
復調器２２は、制御部２９から入力される制御信号に従って、例えば、チューナ２１から出力された中間周波信号に対してデジタル復調や誤り訂正などの処理を施して、ストリーム（例えば、トランスポートストリーム）をデコーダ２３に出力する。
【００２４】
デコーダ２３は、制御部２９から入力される制御信号に従って、例えば、復調器２２から出力されたトランスポートストリームを解読して、当該トランスポートストリームを構成する各トランスポートパケットを判別し、ユーザ所望の放送番組に関連するトランスポートパケットにかかるデータを、圧縮音声データと、圧縮映像データと、等に分離する。そして、例えば、当該圧縮音声データをデコードして、音声データを音声出力部２４に出力するとともに、当該圧縮映像データをデコードして、映像データを映像表示部２５に出力する。
【００２５】
音声出力部２４は、例えば、スピーカ機器等であり、デコーダ２３から出力された音声データに基づく音声を出力する。
【００２６】
映像表示部２５は、例えば、液晶表示機器等であり、デコーダ２３から出力された映像データに基づく映像を表示する。
【００２７】
リモコン信号受信部２６は、例えば、リモコン装置４により送信されたリモコン信号を受信して、制御部２９に出力する。
【００２８】
ここで、リモコン信号は、例えば、当該リモコン信号の開始を示すヘッダパルスと、当該リモコン信号によって制御されるＴＶ受像機２のメーカや機種などを識別するためのカスタムコードと、ＴＶ受像機２を制御するためのコマンドを示すデータコードと、等を含んでいる。
したがって、例えば、ＴＶ受像機２の電源をＯＮにするためのリモコン信号は、ＴＶ受像機２の電源をＯＮにするためのコマンドを示すデータコード等を含むリモコン信号であり、例えば、ＴＶ受像機２の電源をＯＦＦにするためのリモコン信号は、ＴＶ受像機２の電源をＯＦＦにするためのコマンドを示すデータコード等を含むリモコン信号である。
【００２９】
電源情報送信部２７は、制御部２９から入力される制御信号に従って、例えば、ＴＶ受像機２の電源ＯＮから電源ＯＦＦへの切換時に、ＴＶ受像機２の電源がＯＦＦである旨を示す電源情報である電源ＯＦＦ情報を、赤外線等によって、リモコン装置４に送信する。
【００３０】
クロック信号供給部２８は、例えば、サブクロック周波数のクロック信号と、メインクロック周波数のクロック信号と、等を制御部２９へ供給する。
具体的には、クロック信号供給部２８は、例えば、図２に示すように、発振回路２８１と、分周回路２８２と、等を備えている。
【００３１】
発振回路２８１は、例えば、水晶振動子を備えており、この水晶振動子の物理的寸法によって定まる発振周波数の電気信号を生成する。
【００３２】
分周回路２８２は、制御部２９から入力される制御信号に従って、発振回路２８１により生成された電気信号の発振周波数を所定の分周率（例えば、第１分周率と、当該第1分周率よりも低い第２分周率）で分周（割算）し、そして、当該分周した結果のクロック信号を制御部２９に出力する。
【００３３】
ここで、分周回路２８２により分周されたクロック信号が、ＴＶ受像機２のＣＰＵ２９１（後述）の稼動速度を決定するタイミング信号となる。
すなわち、例えば、第１分周率で分周されたクロック信号の周波数が、サブクロック周波数となり、例えば、当該第１分周率よりも低い第２分周率で分周されたクロック信号の周波数が、メインクロック周波数となる。
【００３４】
制御部２９は、例えば、図２に示すように、ＣＰＵ（Central Processing Unit）２９１と、ＲＡＭ（Random Access Memory）２９２と、ＲＯＭ（Read Only Memory）２９３と、等を備えている。
【００３５】
ＣＰＵ２９１は、ＲＯＭ２９３に記憶されたＴＶ受像機２用の各種処理プログラムに従って各種の制御動作を実行する。当該各種制御動作の実行に際して、ＣＰＵ２９１は、例えば、サブクロック周波数又はメインクロック周波数を有するタイミング信号を用いてタイミング（同期）を取りながら稼動する。
【００３６】
ＲＡＭ２９２は、ＣＰＵ２９１によって実行される処理プログラムなどを展開するためのプログラム格納領域や、入力データや上記処理プログラムが実行される際に生じる処理結果などを格納するデータ格納領域などを備える。
【００３７】
ＲＯＭ２９３は、ＴＶ受像機２で実行可能なシステムプログラム、当該システムプログラムで実行可能な各種処理プログラム、これら各種処理プログラムを実行する際に使用されるデータ、ＣＰＵ２９１によって演算処理された処理結果のデータなどを記憶する。なお、プログラムは、コンピュータが読み取り可能なプログラムコードの形でＲＯＭ２９３に記憶されている。
【００３８】
具体的には、ＲＯＭ２９３は、例えば、リモコン信号解析プログラム２９３ｂ１と、電源ＯＮ／ＯＦＦ切換プログラム２９３ｂ２と、電源情報送信制御プログラム２９３ｂ３と、等を記憶している。
【００３９】
リモコン信号解析プログラム２９３ｂ１は、例えば、リモコン信号受信部２６により受信されたリモコン信号を解析する機能を、ＣＰＵ２９１に実現させる。
【００４０】
ここで、リモコン装置４は、例えば、リモコン装置４により送信可能なリモコン信号のうち、ＴＶ受像機２の電源をＯＮにするためのリモコン信号のみをサブクロック周波数に対応した周波数で送信し、ＴＶ受像機２の電源をＯＮにするためのリモコン信号以外のリモコン信号（例えば、ＴＶ受像機２の電源をＯＦＦにするためのリモコン信号等）をメインクロック周波数に対応した周波数で送信するようになっている。
したがって、ＣＰＵ２９１は、例えば、電源ＯＦＦ時（低消費電力モード時）にはサブクロック周波数で稼動しているため、リモコン装置４により送信されてリモコン信号受信部２６により受信されたリモコン信号のうち、ＴＶ受像機２の電源をＯＮにするためのリモコン信号のみが解析可能である。
一方、ＣＰＵ２９１は、例えば、電源ＯＮ時（通常モード時）にはメインクロック周波数で稼動しているため、リモコン装置４により送信されてリモコン信号受信部２６により受信されたリモコン信号のうち、ＴＶ受像機２の電源をＯＮにするためのリモコン信号以外のリモコン信号が解析可能である。
【００４１】
電源ＯＮ／ＯＦＦ切換プログラム２９３ｂ２は、例えば、リモコン信号解析プログラム２９３ｂ１を実行したＣＰＵ２９１による解析の結果、リモコン装置４により送信されてリモコン信号受信部２６により受信されたリモコン信号がＴＶ受像機２の電源をＯＮにするためのリモコン信号である場合には、動作モードを低消費電力モードから通常モードに切り換えて、ＴＶ受像機２の電源をＯＮからＯＦＦに切り換えるとともに、例えば、リモコン信号解析プログラム２９３ｂ１を実行したＣＰＵ２９１による解析の結果、リモコン装置４により送信されてリモコン信号受信部２６により受信されたリモコン信号がＴＶ受像機２の電源をＯＦＦにするためのリモコン信号である場合には、動作モードを通常モードから低消費電力モードに切り換えて、ＴＶ受像機２の電源をＯＦＦからＯＮに切り換える機能を、ＣＰＵ２９１に実現させる。
【００４２】
具体的には、ＣＰＵ２９１は、例えば、クロック信号供給部２８に制御信号を入力して、メインクロック周波数のクロック信号を供給するよう指示することによって、動作モードを低消費電力モードから通常モードに切り換える。
また、ＣＰＵ２９１は、例えば、クロック信号供給部２８に制御信号を入力して、サブクロック周波数のクロック信号を供給するよう指示することによって、動作モードを通常モードから低消費電力モードに切り換える。
【００４３】
電源情報送信制御プログラム２９３ｂ３は、例えば、電源ＯＮ／ＯＦＦ切換プログラム２９３ｂ２を実行したＣＰＵ２９１によるＴＶ受像機２の電源ＯＮから電源ＯＦＦへの切換時に、電源情報送信部２７に制御信号を入力して、ＴＶ受像機２の電源がＯＦＦである旨を示す電源情報である電源ＯＦＦ情報を、リモコン装置４に送信させる機能を、ＣＰＵ２９１に実現させる。
ここで、電源情報送信手段は、例えば、電源情報送信部２７と、電源情報送信制御プログラム２９３ｂ３を実行したＣＰＵ２９１と、等から構成される。
【００４４】
（リモコン装置の構成）
リモコン装置４は、例えば、図１及び図３に示すように、キー操作部４１と、リモコン信号送信部４２と、電源情報受信部４３と、記憶部４４と、制御部４５と、等を備えて構成される。各部は、バス４０によって接続されている。
【００４５】
ここで、リモコン装置４は、例えば、リモコン装置４により送信可能なリモコン信号のうち、ＴＶ受像機２の電源をＯＮにするためのリモコン信号のみをサブクロック周波数に対応した周波数で送信し、ＴＶ受像機２の電源をＯＮにするためのリモコン信号以外のリモコン信号（例えば、ＴＶ受像機２の電源をＯＦＦにするためのリモコン信号等）をメインクロック周波数に対応した周波数で送信する。
【００４６】
キー操作部４１は、例えば、複数のキーからなり、例えば、ユーザのキー操作に伴う押下信号を、制御部４５に出力する。
ここで、キー操作部４１には、少なくとも電源キー４１ａが含まれている。
【００４７】
リモコン信号送信部４２は、制御部４５から入力される制御信号に従って、例えば、ＴＶ受像機２を遠隔制御するためのリモコン信号を、ＴＶ受像機２のリモコン信号受信部２６に送信する。
【００４８】
電源情報受信部４３は、例えば、電源情報受信手段として、ＴＶ受像機２の電源情報送信部２７により送信された電源ＯＦＦ情報を受信して、制御部４５に出力する。
【００４９】
記憶部４４は、制御部４５から入力される制御信号に従って、例えば、記憶手段として、電源情報受信部４３により受信された電源ＯＦＦ情報を記憶する。
【００５０】
制御部４５は、例えば、図３に示すように、ＣＰＵ４５１と、ＲＡＭ４５２と、ＲＯＭ４５３と、等を備えている。
【００５１】
ＣＰＵ４５１は、ＲＯＭ４５３に記憶されたリモコン装置４用の各種処理プログラムに従って各種の制御動作を実行する。
【００５２】
ＲＡＭ４５２は、ＣＰＵ４５１によって実行される処理プログラムなどを展開するためのプログラム格納領域や、入力データや上記処理プログラムが実行される際に生じる処理結果などを格納するデータ格納領域などを備える。
【００５３】
ＲＯＭ４５３は、リモコン装置４で実行可能なシステムプログラム、当該システムプログラムで実行可能な各種処理プログラム、これら各種処理プログラムを実行する際に使用されるデータ、ＣＰＵ４５１によって演算処理された処理結果のデータなどを記憶する。なお、プログラムは、コンピュータが読み取り可能なプログラムコードの形でＲＯＭ４５３に記憶されている。
【００５４】
具体的には、ＲＯＭ４５３は、例えば、リモコン信号データファイル４５３ａ１と、リモコン信号送信制御プログラム４５３ｂ１と、電源情報消去プログラム４５３ｂ２と、等を記憶している。
【００５５】
リモコン信号データファイル４５３ａ１は、例えば、ＴＶ受像機２を遠隔制御するためのリモコン信号を、キー操作部４１に含まれる各キーに対応付けて記憶している。すなわち、リモコン信号データファイル４５３ａ１に記憶されているリモコン信号が、リモコン装置４により送信可能なリモコン信号となる。
【００５６】
リモコン信号送信制御プログラム４５３ｂ１は、例えば、ユーザによりキー操作部４１に含まれるキーが操作されると、当該操作されたキーに対応するリモコン信号をリモコン信号データファイル４５３ａ１から取得し、そして、リモコン信号送信部４２に制御信号を入力して、所定の周波数で、当該取得したリモコン信号をＴＶ受像機２に送信させる機能を、ＣＰＵ２９１に実現させる。
【００５７】
具体的は、ＣＰＵ４５１は、例えば、ユーザによりキー操作部４１に含まれる電源キー４１ａが操作された際であって、記憶部４４に電源ＯＦＦ情報が記憶されている場合には、ＴＶ受像機２の電源をＯＮにするためのリモコン信号をリモコン信号データファイル４５３ａ１から取得し、そして、リモコン信号送信部４２に、サブクロック周波数に対応した周波数で、当該取得したリモコン信号を送信させるとともに、例えば、ユーザによりキー操作部４１に含まれる電源キー４１ａが操作された際であって、記憶部４４に電源ＯＦＦ情報が記憶されていない場合には、ＴＶ受像機２の電源をＯＦＦにするためのリモコン信号をリモコン信号データファイル４５３ａ１から取得し、そして、リモコン信号送信部４２に、メインクロック周波数に対応した周波数で、当該取得したリモコン信号を送信させる。
ここで、リモコン信号送信手段は、例えば、リモコン信号送信部４２と、リモコン信号送信制御プログラム４５３ｂ１を実行したＣＰＵ４５１と、等から構成される。
【００５８】
電源情報消去プログラム４５３ｂ２は、例えば、リモコン信号送信制御プログラム４５３ｂ１を実行したＣＰＵ４５１とリモコン信号送信部４２とによりＴＶ受像機２の電源をＯＮにするためのリモコン信号が送信された場合に、記憶部４４に記憶された電源ＯＦＦ情報を消去する機能を、ＣＰＵ４５１に実現させる。
ＣＰＵ４５１は、かかる電源情報消去プログラム４５３ｂ２を実行することによって、消去手段として機能する。
【００５９】
＜電源ＯＮ／ＯＦＦ切換処理＞
次に、リモコンシステム１によるＴＶ受像機２の電源ＯＮから電源ＯＦＦへの切換に関する処理について、図４のフローチャートを参照して説明する。
【００６０】
まず、ユーザによりリモコン装置４のキー操作部４１に含まれる電源キー４１ａが操作されると（ステップＳ１１）、リモコン装置４のＣＰＵ４５１は、リモコン信号送信制御プログラム４５３ｂ１を実行して、記憶部４４に電源ＯＦＦ情報が記憶されているか否かを判断する（ステップＳ１２）。
【００６１】
ステップＳ１２で、記憶部４４に電源ＯＦＦ情報が記憶されていると判断すると（ステップＳ１２；Ｙｅｓ）、ＣＰＵ４５１は、ＴＶ受像機２の電源をＯＮにするためのリモコン信号をリモコン信号データファイル４５３ａ１から取得し、そして、リモコン信号送信部４２に制御信号を入力して、サブクロック周波数に対応した周波数で、当該取得したリモコン信号をＴＶ受像機２に送信させるとともに（ステップＳ１３）、電源情報消去プログラム４５３ｂ２を実行して、記憶部４４に記憶された電源ＯＦＦ情報を消去して（ステップＳ１４）、本処理を終了する。
【００６２】
ステップＳ１３で送信されたリモコン信号を、ＴＶ受像機２のリモコン信号受信部２６が受信すると（ステップＳ１５）、ＴＶ受像機２のＣＰＵ２９１は、リモコン信号解析プログラム２９３ｂ１を実行して、ステップＳ１５にて受信されたリモコン信号を解析し、そして、電源ＯＮ／ＯＦＦ切換プログラム２９３ｂ２を実行して、動作モードを低消費電力モードから通常モードに切り換えるとともに、ＴＶ受像機２の電源をＯＦＦからＯＮに切り換えて（ステップＳ１６）、本処理を終了する。
【００６３】
一方、ステップＳ１２で、記憶部４４に電源ＯＦＦ情報が記憶されていないと判断すると（ステップＳ１２；Ｎｏ）、ＣＰＵ４５１は、ＴＶ受像機２の電源をＯＦＦにするためのリモコン信号をリモコン信号データファイル４５３ａ１から取得し、そして、リモコン信号送信部４２に制御信号を入力して、メインクロック周波数に対応した周波数で、当該取得したリモコン信号をＴＶ受像機２に送信させる（ステップＳ１７）。
【００６４】
ステップＳ１７で送信されたリモコン信号を、ＴＶ受像機２のリモコン信号受信部２６が受信すると（ステップＳ１８）、ＴＶ受像機２のＣＰＵ２９１は、リモコン信号解析プログラム２９３ｂ１を実行して、ステップＳ１８にて受信されたリモコン信号を解析し、そして、電源ＯＮ／ＯＦＦ切換プログラム２９３ｂ２を実行して、動作モードを通常モードから低消費電力モードに切り換えるとともに、ＴＶ受像機２の電源をＯＮからＯＦＦに切り換える（ステップＳ１９）。
【００６５】
次いで、ＣＰＵ２９１は、電源情報送信制御プログラム２９３ｂ３を実行して、電源情報送信部２７に制御信号を入力して、電源ＯＦＦ情報をＴＶ受像機２に送信させる（ステップＳ２０）。
【００６６】
ステップＳ２０で送信された電源ＯＦＦ情報を、リモコン装置４の電源情報受信部４３が受信すると（ステップＳ２１）、リモコン装置４のＣＰＵ４５１は、ステップＳ２１にて受信された電源ＯＦＦ情報を記憶部４４に記憶させて（ステップＳ２２）、本処理を終了する。
【００６７】
以上説明した第１の実施の形態におけるリモコンシステム１によれば、ＴＶ受像機２と、複数のキーからなるキー操作部４１とＴＶ受像機２を遠隔制御するためのリモコン信号を送信するリモコン信号送信制御プログラム４５３ｂ１を実行したＣＰＵ４５１とリモコン信号送信部４２とを備えるリモコン装置４と、を有している。
そして、ＴＶ受像機２は、電源ＯＦＦ時には、サブクロック周波数（第１クロック周波数）で稼動する低消費電力モードになり、電源ＯＮ時には、サブクロック周波数よりも高いメインクロック周波数（第２クロック周波数）で稼動する通常モードになるよう構成されており、電源情報送信制御プログラム２９３ｂ３を実行したＣＰＵ２９１と電源情報送信部２７とによって、電源ＯＦＦへの切換時に、電源ＯＦＦ情報を、リモコン装置４に送信することができる。
また、リモコン装置４は、電源情報受信部４３によって、電源情報送信制御プログラム２９３ｂ３を実行したＣＰＵ２９１と電源情報送信部２７とにより送信された電源ＯＦＦ情報を受信することができ、記憶部４４に、電源情報受信部４３により受信された電源ＯＦＦ情報を記憶することができ、リモコン信号送信制御プログラム４５３ｂ１を実行したＣＰＵ４５１とリモコン信号送信部４２とによって、電源キー４１ａが操作された際であって、記憶部４４に電源ＯＦＦ情報が記憶されている場合に、サブクロック周波数に対応した周波数で、ＴＶ受像機２の電源をＯＮにするためのリモコン信号を送信するとともに、電源キー４１ａが操作された際であって、記憶部４４に電源ＯＦＦ情報が記憶されていない場合に、メインクロック周波数に対応した周波数で、ＴＶ受像機２の電源をＯＦＦにするためのリモコン信号を送信することができる。
すなわち、ＴＶ受像機２は、低消費電力モードから通常モードに切り換わらなくても、低消費電力モードのままで、ＴＶ受像機２の電源をＯＮにするためのリモコン信号を解析することができる。
したがって、ＴＶ受像機２を、リモコン信号の受信の度に低消費電力モードから通常モードに切り換わるよう構成する必要はなく、さらに、リモコン信号の解析のために低消費電力モードから通常モードに切り換える時間も必要ないため、ＴＶ受像機２の消費電力を抑えつつ、すばやく且つ確実にＴＶ受像機２の電源をＯＮすることができる。
【００６８】
また、電源情報消去プログラム４５３ｂ２を実行したＣＰＵ４５１によって、リモコン信号送信制御プログラム４５３ｂ１を実行したＣＰＵ４５１とリモコン信号送信部４２とによりＴＶ受像機２の電源をＯＮにするためのリモコン信号が送信された場合に、記憶部４４に記憶された電源ＯＦＦ情報を消去することができるため、電源キー４１ａが操作された際に送信すべきリモコン信号が、ＴＶ受像機２の電源をＯＮにするためのリモコン信号なのか、或いは、ＴＶ受像機２の電源をＯＦＦにするためのリモコン信号なのかを、確実に判別することができる。
【００６９】
[第２の実施の形態]
次に、第２の実施の形態におけるリモコンシステム１Ａについて説明する。
【００７０】
＜リモコンシステムの構成＞
まず、リモコンシステム１Ａの構成について、図５〜図７を参照して説明する。
なお、第２の実施の形態のリモコンシステム１Ａは、ＴＶ受像機２が、電源ＯＦＦへの切換時のみならず、電源ＯＮへの切換時にも電源情報を送信する点のみが、第１の実施の形態のリモコンシステム１と異なる。具体的には、ＴＶ受像機２における電源情報送信部２７の構成の一部及び制御部２９の構成の一部が異なるとともに、リモコン装置４における電源情報受信部４３の構成の一部、記憶部４４の構成の一部及び制御部４５の構成の一部が異なる。したがって、異なる箇所のみについて説明し、その他の共通する部分は同一符合を付して説明する。
【００７１】
リモコンシステム１Ａは、例えば、図５に示すように、ＴＶ受像機２Ａと、ＴＶ受像機２Ａを遠隔制御するためのリモコン装置４Ａと、を有して構成される。
【００７２】
（ＴＶ受像機（所定の被制御機器）の構成）
ＴＶ受像機２Ａは、例えば、図５及び図６に示すように、アンテナ２１ａを有するチューナ２１と、復調器２２と、デコーダ２３と、リモコン信号受信部２６と、電源情報送信部２７Ａと、クロック信号供給部２８と、制御部２９Ａと、等を備えて構成される。各部は、バス２０Ａによって接続されている。
さらに、ＴＶ受像機２Ａは、例えば、デコーダ２３と接続する音声出力部２４や映像表示部２５などを備えている。
【００７３】
電源情報送信部２７Ａは、制御部２９Ａから入力される制御信号に従って、例えば、ＴＶ受像機２Ａの電源ＯＮ及び電源ＯＦＦへの切換時に、切換後の電源情報を、赤外線等によって、リモコン装置４Ａに送信する。
【００７４】
制御部２９Ａは、例えば、図６に示すように、ＣＰＵ２９１と、ＲＡＭ２９２と、ＲＯＭ２９３Ａと、等を備えている。
【００７５】
ＲＯＭ２９３Ａは、例えば、リモコン信号解析プログラム２９３ｂ１と、電源ＯＮ／ＯＦＦ切換プログラム２９３ｂ２と、電源情報送信制御プログラム２９３ｂ３Ａと、等を記憶している。
【００７６】
電源情報送信制御プログラム２９３ｂ３Ａは、例えば、電源ＯＮ／ＯＦＦ切換プログラム２９３ｂ２を実行したＣＰＵ２９１によるＴＶ受像機２Ａの電源ＯＮ及び電源ＯＦＦへの切換時に、電源情報送信部２７Ａに制御信号を入力して、切換後の電源情報を、リモコン装置４Ａに送信させる機能を、ＣＰＵ２９１に実現させる。
【００７７】
具体的には、ＣＰＵ２９１は、例えば、ＴＶ受像機２Ａの電源ＯＮから電源ＯＦＦへの切換時には、ＴＶ受像機２Ａの電源がＯＦＦである旨を示す電源情報である電源ＯＦＦ情報を送信させ、例えば、ＴＶ受像機２Ａの電源ＯＦＦから電源ＯＮへの切換時には、ＴＶ受像機２Ａの電源がＯＮである旨を示す電源情報である電源ＯＮ情報を送信させる。
ここで、電源情報送信手段は、例えば、電源情報送信部２７Ａと、電源情報送信制御プログラム２９３ｂ３Ａを実行したＣＰＵ２９１と、等から構成される。
【００７８】
（リモコン装置の構成）
リモコン装置４Ａは、例えば、図５及び図７に示すように、キー操作部４１と、リモコン信号送信部４２と、電源情報受信部４３Ａと、記憶部４４Ａと、制御部４５Ａと、等を備えて構成される。各部は、バス４０Ａによって接続されている。
【００７９】
電源情報受信部４３Ａは、例えば、電源情報受信手段として、ＴＶ受像機２Ａの電源情報送信部２７Ａにより送信された電源情報（電源ＯＦＦ情報又は電源ＯＮ情報）を受信して、制御部４５Ａに出力する。
【００８０】
記憶部４４Ａは、制御部４５Ａから入力される制御信号に従って、例えば、記憶手段として、電源情報受信部４３Ａにより受信された電源情報（電源ＯＦＦ情報又は電源ＯＮ情報）を記憶する。
具体的には、記憶部４４Ａは、例えば、電源情報受信部４３Ａにより電源ＯＦＦ情報が受信されると、記憶している電源ＯＮ情報に替えて、当該受信された電源ＯＦＦ情報を記憶し、例えば、電源情報受信部４３Ａにより電源ＯＮ情報が受信されると、記憶している電源ＯＦＦ情報に替えて、当該受信された電源ＯＮ情報を記憶する。
【００８１】
制御部４５Ａは、例えば、図７に示すように、ＣＰＵ４５１と、ＲＡＭ４５２と、ＲＯＭ４５３Ａと、等を備えている。
【００８２】
ＲＯＭ４５３Ａは、例えば、リモコン信号データファイル４５３ａ１と、リモコン信号送信制御プログラム４５３ｂ１Ａと、等を記憶している。
【００８３】
リモコン信号送信制御プログラム４５３ｂ１Ａは、例えば、ユーザによりキー操作部４１に含まれるキーが操作されると、当該操作されたキーに対応するリモコン信号をリモコン信号データファイル４５３ａ１から取得し、そして、リモコン信号送信部４２に制御信号を入力して、所定の周波数で、当該取得したリモコン信号をＴＶ受像機２Ａに送信させる機能を、ＣＰＵ２９１に実現させる。
【００８４】
具体的には、ＣＰＵ２９１は、例えば、ユーザによりキー操作部４１に含まれる電源キー４１ａが操作された際であって、記憶部４４Ａに記憶された電源情報が電源ＯＦＦ情報である場合には、ＴＶ受像機２Ａの電源をＯＮにするためのリモコン信号をリモコン信号データファイル４５３ａ１から取得し、そして、リモコン信号送信部４２に、サブクロック周波数に対応した周波数で、当該取得したリモコン信号を送信させるとともに、ユーザによりキー操作部４１に含まれる電源キー４１ａが操作された際であって、記憶部４４Ａに記憶された電源情報が電源ＯＮ情報である場合には、ＴＶ受像機２Ａの電源をＯＦＦにするためのリモコン信号をリモコン信号データファイル４５３ａ１から取得し、そして、リモコン信号送信部４２に、メインクロック周波数に対応した周波数で、当該取得したリモコン信号を送信させる。
ここで、リモコン信号送信手段は、例えば、リモコン信号送信部４２と、リモコン信号送信制御プログラム４５３ｂ１Ａを実行したＣＰＵ４５１と、等から構成される。
【００８５】
＜電源ＯＮ／ＯＦＦ切換処理＞
次に、リモコンシステム１ＡによるＴＶ受像機２Ａの電源ＯＮから電源ＯＦＦへの切換に関する処理について、図８のフローチャートを参照して説明する。
【００８６】
まず、ユーザによりリモコン装置４Ａのキー操作部４１に含まれる電源キー４１ａが操作されると（ステップＳ３１）、リモコン装置４ＡのＣＰＵ４５１は、リモコン信号送信制御プログラム４５３ｂ１Ａを実行して、記憶部４４Ａに電源ＯＦＦ情報が記憶されているか否かを判断する（ステップＳ３２）。
【００８７】
ステップＳ３２で、記憶部４４Ａに電源ＯＦＦ情報が記憶されていると判断すると（ステップＳ３２；Ｙｅｓ）、ＣＰＵ４５１は、ＴＶ受像機２Ａの電源をＯＮにするためのリモコン信号をリモコン信号データファイル４５３ａ１から取得し、そして、リモコン信号送信部４２に制御信号を入力して、サブクロック周波数に対応した周波数で、当該取得したリモコン信号をＴＶ受像機２Ａに送信させる（ステップＳ３３）。
【００８８】
ステップＳ３３で送信されたリモコン信号を、ＴＶ受像機２Ａのリモコン信号受信部２６が受信すると（ステップＳ３４）、ＴＶ受像機２ＡのＣＰＵ２９１は、リモコン信号解析プログラム２９３ｂ１を実行して、ステップＳ３４にて受信されたリモコン信号を解析し、そして、電源ＯＮ／ＯＦＦ切換プログラム２９３ｂ２を実行して、動作モードを低消費電力モードから通常モードに切り換えるとともに、ＴＶ受像機２の電源をＯＦＦからＯＮに切り換える（ステップＳ３５）。
【００８９】
次いで、ＣＰＵ２９１は、電源情報送信制御プログラム２９３ｂ３Ａを実行して、電源情報送信部２７Ａに制御信号を入力して、電源ＯＮ情報をＴＶ受像機２Ａに送信させる（ステップＳ３６）。
【００９０】
ステップＳ３６で送信された電源ＯＮ情報を、リモコン装置４Ａの電源情報受信部４３Ａが受信すると（ステップＳ３７）、リモコン装置４ＡのＣＰＵ４５１は、ステップＳ３７にて受信された電源ＯＮ情報を記憶部４４Ａに記憶させて（ステップＳ３８）、本処理を終了する。
【００９１】
一方、ステップＳ３２で、記憶部４４Ａに電源ＯＦＦ情報が記憶されていないと判断すると（ステップＳ３２；Ｎｏ）、すなわち、記憶部４４Ａに電源ＯＮ情報が記憶されていると判断すると、ＣＰＵ４５１は、ＴＶ受像機２Ａの電源をＯＦＦにするためのリモコン信号をリモコン信号データファイル４５３ａ１から取得し、そして、リモコン信号送信部４２に制御信号を入力して、メインクロック周波数に対応した周波数で、当該取得したリモコン信号をＴＶ受像機２Ａに送信させる（ステップＳ３９）。
【００９２】
ステップＳ３９で送信されたリモコン信号を、ＴＶ受像機２Ａのリモコン信号受信部２６が受信すると（ステップＳ４０）、ＴＶ受像機２ＡのＣＰＵ２９１は、リモコン信号解析プログラム２９３ｂ１を実行して、ステップＳ４０にて受信されたリモコン信号を解析し、そして、電源ＯＮ／ＯＦＦ切換プログラム２９３ｂ２を実行して、動作モードを通常モードから低消費電力モードに切り換えるとともに、ＴＶ受像機２の電源をＯＮからＯＦＦに切り換える（ステップＳ４１）。
【００９３】
次いで、ＣＰＵ２９１は、電源情報送信制御プログラム２９３ｂ３Ａを実行して、電源情報送信部２７Ａに制御信号を入力して、電源ＯＦＦ情報をＴＶ受像機２Ａに送信させる（ステップＳ４２）。
【００９４】
ステップＳ４２で送信された電源ＯＦＦ情報を、リモコン装置４Ａの電源情報受信部４３Ａが受信すると（ステップＳ４３）、リモコン装置４ＡのＣＰＵ４５１は、ステップＳ４３にて受信された電源ＯＦＦ情報を記憶部４４Ａに記憶させて（ステップＳ４４）、本処理を終了する。
【００９５】
以上説明した第２の実施の形態におけるリモコンシステム１Ａによれば、ＴＶ受像機２Ａは、電源情報送信制御プログラム２９３ｂ３Ａを実行したＣＰＵ２９１と電源情報送信部２７Ａとによって、電源ＯＮ及び電源ＯＦＦへの切換時に、切換後の電源情報を、リモコン装置４Ａに送信することができ、リモコン装置４Ａは、電源情報受信部４３Ａによって、電源情報送信制御プログラム２９３ｂ３Ａを実行したＣＰＵ２９１と電源情報送信部２７Ａとにより送信された電源情報を受信することができ、記憶部４４Ａに、電源情報受信部４３Ａにより受信された電源情報を記憶することができ、リモコン信号送信制御プログラム４５３ｂ１Ａを実行したＣＰＵ４５１とリモコン信号送信部４２とによって、電源キー４１ａが操作された際であって、記憶部４４Ａに記憶された電源情報が電源ＯＦＦ情報である場合に、サブクロック周波数（第１クロック周波数）に対応した周波数で、ＴＶ受像機２Ａの電源をＯＮにするためのリモコン信号を送信するとともに、電源キー４１ａが操作された際であって、記憶部４４Ａに記憶された電源情報が電源ＯＮ情報である場合に、メインクロック周波数（第２クロック周波数）に対応した周波数で、ＴＶ受像機２Ａの電源をＯＦＦにするためのリモコン信号を送信することができる。
したがって、記憶部４４Ａに、電源情報受信部４３Ａにより受信された電源情報を記憶することができるため、電源キー４１ａが操作された際に送信すべきリモコン信号が、ＴＶ受像機２Ａの電源をＯＮにするためのリモコン信号なのか、或いは、ＴＶ受像機２Ａの電源をＯＦＦにするためのリモコン信号なのかを、確実に判別することができる。
【００９６】
なお、本発明は、上記した実施の形態のものに限るものではなく、その要旨を逸脱しない範囲で適宜変更可能である。
【００９７】
第１及び第２の実施の形態において、サブクロック周波数のクロック信号と、メインクロック周波数のクロック信号と、を制御部２９，２９Ａへ供給することができるのであれば、クロック信号供給部２８の構成は任意である。
【００９８】
第１及び第２の実施の形態において、リモコン信号送信制御プログラム４５３ｂ１，４５３ｂ１Ａを実行したＣＰＵ４５１により、サブクロック周波数に対応した周波数で、ＴＶ受像機２，２Ａの電源をＯＮにするためのリモコン信号を送信するようにしたが、例えば、リモコン信号データファイル４５３ａ１に、予め、ＴＶ受像機２，２Ａの電源をＯＮにするためのリモコン信号をサブクロック周波数に対応した周波数で記憶しておいてもよい。この場合、リモコン信号送信制御プログラム４５３ｂ１，４５３ｂ１Ａを実行したＣＰＵ４５１は、リモコン信号データファイル４５３ａ１に記憶されたリモコン信号をそのまま送信すればよいこととなる。
【００９９】
第１及び第２の実施の形態において、サブクロック周波数に対応した周波数で送信するリモコン信号は、ＴＶ受像機２，２Ａの電源をＯＮにするためのリモコン信号だけでなく、電源ＯＦＦ時（低消費電力モード時）のＴＶ受像機２，２Ａが反応すべきリモコン信号であれば、任意である。
【０１００】
第１及び第２の実施の形態において、所定の被制御機器は、ＴＶ受像機２，２Ａの限りでなく、電子機器であれば、任意である。
【図面の簡単な説明】
【０１０１】
【図１】第１の実施の形態におけるリモコンシステムの構成を示す図である。
【図２】第１の実施の形態におけるＴＶ受像機の機能的構成を示すブロック図である。
【図３】第１の実施の形態におけるリモコン装置の機能的構成を示すブロック図である。
【図４】第１の実施の形態におけるリモコンシステムによるＴＶ受像機の電源ＯＮから電源ＯＦＦへの切換に関する処理を示すフローチャートである。
【図５】第２の実施の形態におけるリモコンシステムの構成を示す図である。
【図６】第２の実施の形態におけるＴＶ受像機の機能的構成を示すブロック図である。
【図７】第２の実施の形態におけるリモコン装置の機能的構成を示すブロック図である。
【図８】第２の実施の形態におけるリモコンシステムによるＴＶ受像機の電源ＯＮから電源ＯＦＦへの切換に関する処理を示すフローチャートである。
【符号の説明】
【０１０２】
１  リモコンシステム
２  ＴＶ受像機（所定の被制御機器）
２７，２７Ａ  電源情報送信部（電源情報送信手段）
２９１  ＣＰＵ（電源情報送信手段）
２９３ｂ３，２９３ｂ３Ａ  電源情報送信制御プログラム（電源情報送信手段）
４  リモコン装置
４１  キー操作部
４１ａ  電源キー
４２  リモコン信号送信部（リモコン信号送信手段）
４３，４３Ａ  電源情報受信部（電源情報受信手段）
４４，４４Ａ  記憶部（記憶手段）
４５１  ＣＰＵ（リモコン信号送信手段、消去手段）
４５３ｂ１，４５３ｂ１Ａ  リモコン信号送信制御プログラム（リモコン信号送信手段）
４５３ｂ２  電源情報消去プログラム（消去手段）
【図１】
2008054213.tif 000003
【図２】
2008054213.tif 000004
【図３】
2008054213.tif 000005
【図４】
2008054213.tif 000006
【図５】
2008054213.tif 000007
【図６】
2008054213.tif 000008
【図７】
2008054213.tif 000009
【図８】
2008054213.tif 000010